(57)【要約】【課題】ネジの締付け操作によって、そのままネジの緩み止めが行えるネジの緩み止め構造を提供すること。【解決手段】雄ネジ４が形成された軸部３の先端側に、軸芯に沿って穴５を形成するとともに、該穴５に突起６を装着し、前記雄ネジ４と雌ネジ１２の螺合で被締結物１０，２０を締結したときに、前記雌ネジ１２が形成された凹部１１の底面に前記突起６が当接し、前記穴５に該突起６が食い込むことにより雄ネジ４が形成された軸部３の先端側を拡開させるネジの緩み止め構造とした。【選択図】図２
2013096504.tif 000002
【特許請求の範囲】
【請求項１】
雄ネジが形成された軸部の先端側に、軸芯に沿って穴或いは割り溝を形成するとともに、該穴或いは割り溝に突起を装着し、前記雄ネジと雌ネジの螺合で被締結物を締結したときに、前記雌ネジが形成された凹部の底面に前記突起が当接し、前記穴或いは割り溝に該突起が食い込むことにより雄ネジの軸部先端側を拡開させることを特徴とする、ネジの緩み止め構造。
【請求項２】
上記雌ネジが形成された凹部の底部に、雌ネジよりも大径の拡大空間部が形成されていることを特徴とする、請求項１に記載のネジの緩み止め構造。
【請求項３】
上記穴或いは割り溝に装着された突起が、円錐台形状であり、細い方を穴或いは割り溝に挿入した状態で装着されていることを特徴とする、請求項１または２に記載のネジの緩み止め構造。
【請求項４】
上記穴或いは割り溝に装着された突起が、接着剤により取付けられていることを特徴とする、請求項１〜３のいずれかに記載のネジの緩み止め構造。
【発明の詳細な説明】
【技術分野】
【０００１】
本発明は、ボルトとナットのように雄ネジと雌ネジとの螺合を用いた締結具において、振動等によりネジが緩まないようにするネジの緩み止め構造に関するものである。
【背景技術】
【０００２】
例えば、ボス等の柱状体の端面に、板状部品を結合させる場合には、柱状体の端面に雌ネジ穴を形成するとともに、結合させる板状部品に孔を穿設し、該板状部品の孔にボルトを挿通して、先端部を柱状体の雌ネジ穴に螺合させることによって、板状部品を柱状体に締結することが成されている。
【０００３】
このようなネジを用いて結合した部品に振動が長期に亘って加わると、ネジが緩み、部品が外れてしまう虞がある。このようなことを防止するため、種々のネジの緩み止め構造が提案されている。
【０００４】
例えば、特許文献１には、ボルトを中空状に形成して該中空部にロックピンを保持させるとともに、ボルトの先端部に割り溝を形成し、該ボルトにナットを螺合させた後、ロックピンを打ち込むことでボルトの先端部を拡開させ、ボルトとナットとのネジ山同士の係合を破壊することによって、ネジの緩みを防止する技術が開示されている。
【０００５】
また、特許文献２には、ボルトの先端部の外周面に凹凸を形成し、該ボルトとナットとを螺合させた後、ナットにおける上記凹凸の外周部位を油圧プレスやダイスにより圧縮変形させ、ナットの一部を凹凸に食い込ませてボルトが単独で回らないようにすることによって、ネジの緩みを防止する技術が開示されている。
【先行技術文献】
【特許文献】
【０００６】
【特許文献１】実開平６−１２８１９号公報
【特許文献２】特開平７−２８６６１号公報
【発明の概要】
【発明が解決しようとする課題】
【０００７】
しかしながら、上記した技術にあっては、ネジの緩み止めを行なうには、いずれもネジの締付け後に別の操作が必要であり、手間のかかるものであった。また、ネジの緩み止めを行なうには、ネジの締付けとは別種の工具であるハンマー、プレス機等が必要であり、作業が煩雑なものとなっていた。
【０００８】
本発明は、上述した背景技術が有する課題に鑑み成されたものであって、その目的は、ネジの締付け操作によって、そのままネジの緩み止めが行えるネジの緩み止め構造を提供することにある。
【課題を解決するための手段】
【０００９】
上記した目的を達成するため、本発明は、次に記載のネジの緩み止め構造とした。
〔１〕雄ネジが形成された軸部の先端側に、軸芯に沿って穴或いは割り溝を形成するとともに、該穴或いは割り溝に突起を装着し、前記雄ネジと雌ネジの螺合で被締結物を締結したときに、前記雌ネジが形成された凹部の底面に前記突起が当接し、前記穴或いは割り溝に該突起が食い込むことにより雄ネジの軸部先端側を拡開させることを特徴とする、ネジの緩み止め構造。
〔２〕上記雌ネジが形成された凹部の底部に、雌ネジよりも大径の拡大空間部を形成したことを特徴とする、〔１〕に記載のネジの緩み止め構造。
〔３〕上記穴或いは割り溝に装着された突起が、円錐台形状であり、細い方を穴或いは割り溝に挿入した状態で装着されていることを特徴とする、〔１〕または〔２〕に記載のネジの緩み止め構造。
〔４〕上記穴或いは割り溝に装着された突起が、接着剤により取付けられていることを特徴とする、〔１〕〜〔３〕のいずれかに記載のネジの緩み止め構造。
【発明の効果】
【００１０】
上記した本発明に係るネジの緩み止め構造によれば、ネジの緩み止めは、ネジの締結に必要不可欠な回転操作のみによって行われる。つまり、ネジの締結のための回転操作にともなって突起がボルトの先端部に形成された穴或いは割り溝に食い込み、ボルトの先端部が拡開されることによりネジの緩み止めが行われる。このため、ネジを回転させる操作以外に操作は不要であり、また別の工具も必要としないため、ネジの緩み止め作業を簡易かつ迅速に行なうことができる。
また、本発明に係るネジの緩み止め構造は、雄ネジが形成された軸部の先端に穴或いは割り溝を形成する加工と、該穴或いは割り溝に突起を装着する加工の追加によって実現することができ、これらの加工は小さい小ネジであっても容易に行えることから、特に小ネジの緩み止め構造として有効なものとなる。
【図面の簡単な説明】
【００１１】
【図１】本発明に係るネジの緩み止め構造を実現する一例として示したボルトの一部を断面とした側面図であって、（ａ）は突起を分離した状態、（ｂ）は突起を装着した状態を、それぞれ示した図である。
【図２】図１に示したボルトを使用して本発明に係るネジの緩み止め構造を実現した一実施の形態を示した一部を断面とした側面図であって、（ａ）は部材の締結前の状態、（ｂ）は部材の締結後の状態を、それぞれ示した図である。
【図３】図２（ｂ）のＡ部を拡大して示した図である。
【図４】図１に示したボルトを使用して本発明に係るネジの緩み止め構造を実現した他の実施の形態を示した一部を断面とした側面図であって、（ａ）は部材の締結前の状態、（ｂ）は部材の締結後の状態を、それぞれ示した図である。
【図５】図４（ｂ）のＢ部を拡大して示した図である。
【発明を実施するための形態】
【００１２】
以下、本発明に係るネジの緩み止め構造を、図面に基づいて詳細に説明する。
【００１３】
図１は、本発明に係るネジの緩み止め構造を実現する一例として示したボルトの図であって、該ボルト１は、頭部２と軸部３とからなり、頭部２は六角柱形状に形成され、軸部３の周面には雄ネジ４が形成された、所謂六角ボルトである。該ボルト１の軸部３の先端側には、軸芯に沿って穴５が形成されており、該穴５には、円錐台形状の突起６が接着剤により装着されている。
【００１４】
上記穴５は、軸部３の先端部が拡開変形し易いように形成されたものであり、後述するような方法で拡開変形が可能なようにその径及び深さが設計されている。また、上記突起６は、ボルト１の雄ネジ４と図示しない雌ネジの螺合で被締結物を締結したときに、前記雌ネジが形成された凹部の底面に当接し、前記穴５に食い込むことにより軸部３の先端部を拡開変形させるようにその装着位置や長さ、傾斜角度が設計されている。
【００１５】
上記のように構成されたボルト１を使用して本発明に係るネジの緩み止め構造を実現した実施の形態を、図２に示す。この図２に示したネジの緩み止め構造は、基材である部品の柱状体１０と、その柱状体１０の先端面１０ａに結合される他の部品である板状体２０と、それらを結合する上記したボルト１とからなる。
【００１６】
柱状体１０には、その先端面１０ａの中心に凹部１１が形成され、該凹部１１の周面には上記ボルト１の雄ネジ４と螺合する雌ネジ１２が形成され、底部には前記雌ネジ１２よりも大径の拡大空間部１３が形成されている。一方、板状体２０には、孔２１が形成されている。
【００１７】
そして、このネジの緩み止め構造では、図２に示したように、柱状体１０の凹部１１に孔２１を合致させて板状体２０を重ね合わせ、ボルト１の軸部３を孔２１に挿通させるとともに、ボルト１の雄ネジ４を凹部１１の雌ネジ１２と螺合させる。そして、ボルト１を締付け方向に回転させることにより、柱状体１０と板状体２０との締結と、ネジの緩み止めを行う。
【００１８】
すなわち、ボルト１を締付け方向に回転させると、雄ネジ４と雌ネジ１２の螺合でボルトの軸部３の先端は凹部１１の底部に除々に近づき、いずれ軸部３の先端に装着した突起６が凹部１１の底部に当接する。そして、この状態からさらに回転を加えることにより、柱状体１０と板状体２０との締結がなされるとともに、図３に示したように、穴５に突起６が食い込むことにより軸部３の先端部が拡開され、雄ネジ４と雌ネジ１２とが圧接されるとともに、凹部１１の拡大空間部１３内に拡開された軸部３ａが入り込み、強力なネジの緩み止めが行われる。
【００１９】
図４は、上記したボルト１を使用して本発明に係るネジの緩み止め構造を実現した他の実施の形態を示した図である。この図４に示したネジの緩み止め構造は、２枚も板状体３０，３０と、これらを結合する上記したボルト１と、座金４０，４０と、ナット５０とからなる。
【００２０】
２枚も板状体３０，３０には、それぞれ孔３１，３１が形成されている。また、ナット５０は、底板５０ａを有するナットで、凹部５１の周面は上記ボルト１の雄ネジ４と螺合する雌ネジ５２が形成され、底部には前記雌ネジ５２よりも大径の拡大空間部５３が形成されている。
【００２１】
そして、このネジの緩み止め構造では、図４に示すように、２枚の板状体３０，３０のそれぞれの孔３１，３１を合致させて重ね合わせ、その上下に座金４０，４０を配置し、ボルト１の軸部３をそれらに挿通させるとともに、ボルト１の雄ネジ４をナット５０の雌ネジ５２と螺合させる。そして、ボルト１或いはナット５０を締付け方向に回転させることにより、２枚の板状体３０，３０の締結と、ネジの緩み止めを行う。
【００２２】
すなわち、ボルト１或いはナット５０を締付け方向に回転させると、雄ネジ４と雌ネジ５２の螺合でボルトの軸部３の先端はナット５０の底板５０ａに除々に近づき、いずれ軸部３の先端に装着した突起６がナット５０の底板５０ａに当接する。そして、この状態からさらに回転を加えることにより、２枚の板状体３０，３０の締結がなされるとともに、図５に示したように、穴５に突起６が食い込むことにより軸部３の先端部が拡開され、雄ネジ４と雌ネジ５２とが圧接されるとともに、ナット５０の拡大空間部５３内に拡開された軸部３ａが入り込み、強力なネジの緩み止めが行われる。
【００２３】
以上、本発明に係るネジの緩み止め構造の実施の形態を説明したが、本発明は、何ら既述の実施の形態に限定されるものではなく、本発明の技術的思想の範囲内において、種々の変形および変更が可能であることは当然である。
【００２４】
例えば、上記実施の形態では、軸部３の先端に穴５を形成しているが、穴５に代えて割り溝（スリット）であってもよく、また、穴と割り溝の両者を形成してもよい。また、突起６の装着は、接着剤のみならず、スポット溶接、部分的なカシメ、単なる嵌合等であってもよい。
【００２５】
また、雄ネジが形成された部材として六角ボルト１を示したが、頭部に十字溝やマイナス溝を形成した所謂小ネジや、頭部を有しない止めネジ等であってもよい。更に、突起６の形状は円錐台形状に限らず、穴或いは割り溝を拡開できる形状のものであればよい。
【産業上の利用可能性】
【００２６】
本発明に係るネジの緩み止め構造は、ボルトとナットのように雄ネジと雌ネジとの螺合を用いた締結具において、広く使用することができる。
【符号の説明】
【００２７】
１      ボルト
２      頭部
３      軸部
３ａ    拡開された軸部
４      雄ネジ
５      穴
６      突起
１０    柱状体
１０ａ  柱状体の先端面
１１    凹部
１２    雌ネジ
１３    拡大空間部
２０    板状体
２１    孔
３０    板状体
３１    孔
４０    座金
５０    ナット
５０ａ  ナットの底板
５１    凹部
５２    雌ネジ
５３    拡大空間部
【図１】
2013096504.tif 000003
【図２】
2013096504.tif 000004
【図３】
2013096504.tif 000005
【図４】
2013096504.tif 000006
【図５】
2013096504.tif 000007